(57)【要約】
【課題】物干し竿に吊り下げたハンガーが、風による片寄りや、離脱しない簡単で、確実で、低価格の保持具を提供する。
【解決手段】干し物を掛けたハンガーを吊り下げるための複数のリング２に紐１を貫通させ、当該紐を物干し竿に螺旋状に巻きつけて両端を固定する。そして紐の各螺旋状下部にリング２を吊り下げて、これらにハンガーを吊り下げられるようにしたもので、通常の風では片寄ったリ、離脱しない。
【選択図】図１
0003100569.tif 000002
【実用新案登録請求の範囲】
【請求項１】
　物干し竿に螺旋状に巻きつけられた紐１が複数のリングを貫通して両端が固定され、該紐の各螺旋状下部にリングが合体成型されずに吊り下げられ、ハンガーが掛けられることを特徴とする物干し竿用ハンガー保持具。
【考案の詳細な説明】
【技術分野】
【０００１】　本考案は、洗濯物を乾かすための物干し竿に係るものであり、干し物を掛けるハンガー等を吊り下げる保持具に関するものである。
【背景技術】
【０００２】　従来、洗濯物を干す場合、ハンガーに掛けて一定間隔ごとに、直接物干し竿に吊り下げて干すという方法が一般的に行われていた。
【考案の開示】
【考案が解決しょうとする課題】
【０００３】　物干し竿は、円筒形の外周が滑らかな形状であるため、風によってハンガーが片寄って、洗濯物の乾きが遅くなる。また下方向からの強風に煽られると、図６、▲１▼、▲２▼、▲３▼、に示すように、ハンガーは斜めになって少し浮き上がると簡単に離脱するという問題点があった。その解決策として様々なものが市販されているが、例えば、図５に示すような波状の保持具が取り付けられた物干し竿の場合、重量が大きく、嵩張るので取り扱いにくい上、構造が複雑なため、コスト高となり、価格は一般的な物干し竿に比べ、２倍以上もするという欠点があった。
【０００４】　従って、物干し竿に吊り下げたハンガーが風によって移動しにくく、離脱しにくい固定ができると共に、外観的にも優れ、格段に安価な保持具を提供しょというものである。
【課題を解決するための手段】
【０００５】　本考案は円形、または各種角型の複数のリングに貫通させた紐を、物干し竿に螺旋状に巻きつけて、巻き戻らないように、紐両端を粘着物、または、バンド等の圧迫力で固定させ、個々のリングを紐の各螺旋状下部に吊り下げて、このリングにハンガー掛けられるようにしたものである。つまり、当該リング位置は、平面的に見ると前述図５の波状下部に吊り下げるのと同じ原理であり、更に紐と物干し竿間の摩擦抵抗も加わってリングの固定力は倍増する。また下方向からの風に対しては、図７のようにハンガーが大きく揺らされても、リングが同方向に動いて緩衝されるので、中級程度の台風によっても離脱しないことが実証されている。
【考案の効果】
【０００６】　物干し竿に巻きつけられた紐１のそれぞれの螺旋状下部に吊り下げられたリング２、に掛けられたハンガーは、通常の風で移動、または離脱することがない。
【０００７】　紐１とリング２が合体成型されていない構造であることによって、紐とリングが離脱す　る等の損傷要因が排除される。また紐とリングを固定させるための労働手間と材料費が　省略できるからコスト低減の一助となる。
【０００８】　また、本考案に用いる材料、例えば紐、リング、粘着テープも大量生産された汎用品であるため、安価である上、形や色彩も豊富なので、これらを使用することによって外観が美しく、軽くて使い勝手が良く、格段に安価な保持具を提供することができる、
【実施例１】
【０００９】本案は図１のように複数のリング２に貫通させた紐１を物干し竿６に螺旋状に巻きつけて、当該紐それぞれの下部にリング２を吊り下げ、紐両端を固定させたものであるが、紐１は耐水性の化学繊維系の細糸を編んだ直径４ｍｍ程度の太さのものを用い、リング２はプラスチック材の内周１００ｍｍ程度の円形、または各種角型になっており、当該複数リング２の間隔、つまり、螺旋巻きの波長イは、洗濯物の乾燥時間等を勘案すると２００ｍｍ程度にするのが適当であるが、例えば、一度に多くの洗濯物を干したい場合もあるので、螺旋巻きの波長イを１００ｍｍ程度にして通常必要数の２倍のリング２を吊り下げられるようにする。この場合は、図１のように紐両端を物干し竿６にほぼ鉢巻状に巻けるから、紐両端は粘着テープによって確実に固定できる。【００１０】　具体的には、図１、図３に示すように紐１の太さを直径４ｍｍと仮定した場合、長さ５０ｍｍ、幅２０ｍｍ程度の合成樹脂系の両面粘着テープ３の片面が紐１の一端に粘着され、その紐１に被さるように長さ５０ｍｍ、幅２５ｍｍ程度の片面粘着テープ４が粘り合わされ、紐１の一端は粘着層に包まれた状態になっている。そして反対側の粘着層には通常、剥離紙５が貼付され、使用の際に除去して物干し竿６に粘着させる。紐１の他端についても同じ要領で固定する。ちなみに、図１に示すハンガー８には、５ｋｇの荷重を掛けても異常がないことが確認されている。そして、この形態は螺旋巻きの波長イが短いため、リング吊り下げ部位の紐１の両側勾配が大きくなって、リング２に対する固定力も大きくなる。そして、外観もすっきりと美しいものになる。なお、当形態は通常使用の範囲では、紐の緩み等が生じないので、一旦装着した後は、脱着しないことを基本とするものである。
【実施例２】
【００１１】　紐１とリング２は前述実施例１と同じであるが、リング２の数を半分にする。つまり、紐１の螺旋巻きの波長イを約２００ｍｍとし、通常は２００ｍｍ間隔のリング２にハンガーを吊り下げるが、更に多くの洗濯物を干したい場合は、前記リング２を主体とし、補助的に各リング隙間の物干し竿６に直接吊り下げる。この場合、紐１の突起が滑り止めとなるからハンガーが移動し難くい上、両隣のハンガー等に、ある程度支持されているから通常の風で離脱することはない。当形態は、紐１の長さを最短にし、リング２の数を最少にしながらも、主目的であるハンガーの片寄り、離脱が防止できるとともに、製造コストが小さくなり、当保持具装着時の手間も簡略化できるが、実施例１に比べ、紐１の巻き角度ロが大きくなるので、引っ張り力が長手方向に働き、前述のテープによる固定は強度的に困難となる。しかし、次に記載する紐のストランドを結んで固定する方法は、紐の巻き角度ロによる固定力への影響が大きくはないので、前述形態との相性が良い。【００１２】　具体的には、使用する紐１は２束のストランドを編んだものが理想であるが、一般的な３束編みのものでも良い。その場合、先端約３００ｍｍを解して１束を切断し、残る２つのストランド先端部と根元部を接着剤で固化、あるいは粘着テープを巻いて固定し、その一方のストランド１ａを物干し竿７に螺旋状に巻かれた紐１と同方向に３〜４巻きさせ、他方のストランド１ｂを逆方向に３〜４巻きさせて結んで固定する。なお紐両端と各リングの固定力は前述実施例１に比べると若干劣るが、製作コスト面では優れている
【図面の簡単な説明】
【００１３】
【図１】　実施例１のハンガー保持具を物干し竿に装着した状態を示した斜視図である。
【図２】　実施例２のハンガー保持具を物干し竿に装着した状態を示した斜視図である。
【図３】　実施例１における物干し竿に粘着固定させるために紐両端に設けた粘着テープの状態を示した図である。
【図４】　実施例２における物干し竿にストランドを結んで固定させるための紐両端部の状態を示した図である。
【図５】　従来のハンガー保持具付の物干し竿の正面図である。
【図６】　従来の物干し竿に吊り下げたハンガーと干し物が風に煽られて離脱する時の状態を示す図である。
【図７】　本考案の保持具リングに吊り下げられたハンガー等が、風に煽られた時の状態で、図６との対比図である。
【符号の説明】
【００１４】１　紐
１ａ　ストランド
１ｂ　ストランド
２　リング
３　両面粘着テープ
４　片面粘着テープ
５　剥離紙
６　物干し竿
７　接着剤固化、または粘着テープ巻き部位
９　波状金具
８　ハンガー
イ　螺旋巻き波長
ロ　螺旋巻き角度
【図１】
0003100569.tif 000003
【図２】
0003100569.tif 000004
【図３】
0003100569.tif 000005
【図４】
0003100569.tif 000006
【図５】
0003100569.tif 000007
【図６】
0003100569.tif 000008
【図７】
0003100569.tif 000009